(57)【特許請求の範囲】
【請求項１】
顧客の操作により商品の識別情報を読み取って該商品の品名や価格等を報知し、該読み取られた商品の識別情報を買上商品として記憶する携帯端末と、前記携帯端末が記憶した商品の識別情報に基づいて商品の精算をするＰＯＳレジスタとを備える商品販売処理システムにおいて、
前記携帯端末は、
商品の識別情報と該商品の材料やカロリー等の食材情報とを対応付けて予め記憶する商品情報記憶手段と、
前記商品の識別情報が読み取られると、該読み取られた商品の識別情報に対応する食材情報を読み出す食材情報読出手段と、
前記食材情報読出手段により読み出された商品の食材情報を報知する報知手段と
を備え、
前記顧客毎に付された識別情報により顧客を識別する顧客識別手段と、
前記顧客の識別情報と該顧客特有の食材情報とを対応付けて記憶する顧客情報記憶手段と、
を備え、
前記携帯端末は、
該顧客情報記憶手段から読み出された、前記顧客識別手段が識別した顧客の識別情報に対応する特有の食材情報を記憶する記憶手段と、
前記食材情報読出手段により読み出された食材情報が、前記記憶手段に記憶された特有の食材情報に該当するか否かを判断する判断手段と
を備え、
前記報知手段は、該判断手段の判断結果を報知し、
前記携帯端末は、前記判断手段が該当すると判断した場合、前記商品情報記憶手段に基づき前記読み出された特有の食材情報が対応付けられていない商品の識別情報を特定する代替商品特定手段を備え、
前記報知手段は、前記代替商品特定手段が特定した商品の識別情報に対応する商品に関する情報を報知することを特徴とする
商品販売処理システム。
【請求項２】
顧客の操作により商品の識別情報を読み取って該商品の品名や価格等を報知し、該読み取られた商品の識別情報を買上商品として記憶する携帯端末と、前記携帯端末が記憶した商品の識別情報に基づいて商品の精算をするＰＯＳレジスタとを備える商品販売処理システムにおいて、
前記携帯端末は、
商品の識別情報と該商品の材料やカロリー等の食材情報とを対応付けて予め記憶する商品情報記憶手段と、
前記商品の識別情報が読み取られると、該読み取られた商品の識別情報に対応する食材情報を読み出す食材情報読出手段と、
前記食材情報読出手段により読み出された商品の食材情報を報知する報知手段と
を備え、
前記顧客毎に付された識別情報により顧客を識別する顧客識別手段と、
前記顧客の識別情報と該顧客特有の食材情報とを対応付けて記憶する顧客情報記憶手段と、
を備え、
前記携帯端末は、
該顧客情報記憶手段から読み出された、前記顧客識別手段が識別した顧客の識別情報に対応する特有の食材情報を記憶する記憶手段と、
前記食材情報読出手段により読み出された食材情報が、前記記憶手段に記憶された特有の食材情報に該当するか否かを判断する判断手段と
を備え、
前記報知手段は、該判断手段の判断結果を報知し、
前記携帯端末は、前記判断手段が該当すると判断した食材情報と前記買上商品の識別情報とを前記ＰＯＳレジスタに移行する移行手段を備え、
前記ＰＯＳレジスタは、該移行された前記判断手段が該当すると判断した食材情報を報知するレジ報知手段を備える
ことを特徴とする商品販売処理システム。
【請求項３】
顧客の操作により商品の識別情報を読み取って該商品の品名や価格等を報知し、該読み取られた商品の識別情報を買上商品として記憶する携帯端末において、
商品の識別情報と該商品の材料やカロリー等の食材情報とを対応付けて予め記憶する商品情報記憶手段と、
前記商品の識別情報が読み取られると、該読み取られた商品の識別情報に対応する食材情報を読み出す食材情報読出手段と、
前記食材情報読出手段により読み出された商品の食材情報を報知する報知手段と、
前記顧客の識別情報と該顧客特有の食材情報とを対応付けて記憶する顧客情報記憶手段から読み出された、前記顧客毎に付された識別情報により顧客を識別する顧客識別手段が識別した顧客の識別情報に対応する特有の食材情報を記憶する記憶手段と、
前記食材情報読出手段により読み出された食材情報が、前記記憶手段に記憶された特有の食材情報に該当するか否かを判断する判断手段と
を備え、
前記報知手段は、該判断手段の判断結果を報知し、
前記判断手段が該当すると判断した場合、前記商品情報記憶手段に基づき前記読み出された特有の食材情報が対応付けられていない商品の識別情報を特定する代替商品特定手段を備え、
前記報知手段は、前記代替商品特定手段が特定した商品の識別情報に対応する商品に関する情報を報知することを特徴とする
携帯端末。
【発明の詳細な説明】
【技術分野】
【０００１】
本発明は、携帯端末、及び商品販売処理システムに関する。
【背景技術】
【０００２】
商品を購入する顧客は、購入する商品の原材料や商品に含まれる添加物や商品のカロリー等を表わす食材情報など、当該商品に関する詳細情報を知りたいという要望がある。特許文献１には、精算後に発行するレシートに、顧客が購入した商品に含まれる添加物等の詳細情報を印字するレジスタについて記載されている。
【特許文献１】特開２００１−２２２７７０号公報
【発明の開示】
【発明が解決しようとする課題】
【０００３】
しかしながら、顧客がレシートに記載された情報を知ることができるのは、精算をしてレシートが発行された後である。そして、精算後、購入した商品に摂取したくない添加物等が含まれることを知った顧客は、当該商品を返品する等の手間や不便を強いられるという恐れがある。
また、顧客は、必ずしもレシートの詳細を確認するとは限らない。よって、顧客は、レシートに印字された添加物等の情報に気が付かないという欠点もある。
さらに、例えば、食物アレルギーを持つ顧客にとって、商品にアレルギーの原因となる摂取してはならない材料が含まれているか否かは、非常に重要な問題であり、摂取をしてはならない材料が含まれる商品を購入し、該材料を摂取してしまうという恐れもある。
【０００４】
本発明は上記の点に鑑みてなされたものであり、その目的は、商品を購入する顧客に対し、商品購入前に、商品の食材情報を報知することができる携帯端末、商品販売処理システム、及び商品販売処理方法を提供することにある。
【課題を解決するための手段】
【０００５】
（１）本発明は上記の課題を解決するためになされたものであり、その一態様は、顧客の操作により商品の識別情報を読み取って該商品の品名や価格等を報知し、該読み取られた商品の識別情報を買上商品として記憶する携帯端末と、前記携帯端末が記憶した商品の識別情報に基づいて商品の精算をするＰＯＳレジスタとを備える商品販売処理システムにおいて、前記携帯端末は、商品の識別情報と該商品の材料やカロリー等の食材情報とを対応付けて予め記憶する商品情報記憶手段と、前記商品の識別情報が読み取られると、該読み取られた商品の識別情報に対応する食材情報を読み出す食材情報読出手段と、前記食材情報読出手段により読み出された商品の食材情報を報知する報知手段とを備え、前記顧客毎に付された識別情報により顧客を識別する顧客識別手段と、前記顧客の識別情報と該顧客特有の食材情報とを対応付けて記憶する顧客情報記憶手段と、を備え、前記携帯端末は、該顧客情報記憶手段から読み出された、前記顧客識別手段が識別した顧客の識別情報に対応する特有の食材情報を記憶する記憶手段と、前記食材情報読出手段により読み出された食材情報が、前記記憶手段に記憶された特有の食材情報に該当するか否かを判断する判断手段とを備え、前記報知手段は、該判断手段の判断結果を報知し、前記携帯端末は、前記判断手段が該当すると判断した場合、前記商品情報記憶手段に基づき前記読み出された特有の食材情報が対応付けられていない商品の識別情報を特定する代替商品特定手段を備え、前記報知手段は、前記代替商品特定手段が特定した商品の識別情報に対応する商品に関する情報を報知することを特徴とする。
上記構成によると、商品販売処理システムは、商品の識別情報を読み取り、該読み取った商品の識別情報に対応する食材情報を報知するので、携帯端末を操作する顧客は、商品の読み取り（登録）時、つまり、商品の精算前に、商品の食材情報を知ることができる。
なお、食材情報とは、商品を構成する材料や当該商品のカロリー、栄養成分のほか、各材料の産地や添加物等をも含む。
【０００６】
また、上記構成によると、前記顧客情報記憶手段は、各顧客に応じて顧客が摂取してはならない材料等を特有の食材情報として記憶し、前記判断手段は、商品の材料等が前記材料等に該当するか否かを判断し、前記報知手段は、前記判断手段が該当すると判断した場合は、その旨を報知するので、顧客は、商品の材料等が摂取してはならない材料等に該当するか否かを知ることができる。また、摂取してはいけない材料に限らず、例えば、一商品の上限カロリーを設定しておき、そのカロリーを超えるものを該当すると判断して報知することで、顧客は、上限カロリーを超えるか否かを知ることができ、顧客に応じた適切な栄養管理ができる。
【０００９】
また、上記構成によると、商品報知手段は、各顧客に応じて顧客が摂取してはならない材料等に該当しない商品に関する情報を報知するので、顧客は、摂取してはならない材料等に該当しない商品を確実に選択することができる。
【００１０】
（２）また、本発明の一態様は、顧客の操作により商品の識別情報を読み取って該商品の品名や価格等を報知し、該読み取られた商品の識別情報を買上商品として記憶する携帯端末と、前記携帯端末が記憶した商品の識別情報に基づいて商品の精算をするＰＯＳレジスタとを備える商品販売処理システムにおいて、前記携帯端末は、商品の識別情報と該商品の材料やカロリー等の食材情報とを対応付けて予め記憶する商品情報記憶手段と、前記商品の識別情報が読み取られると、該読み取られた商品の識別情報に対応する食材情報を読み出す食材情報読出手段と、前記食材情報読出手段により読み出された商品の食材情報を報知する報知手段とを備え、前記顧客毎に付された識別情報により顧客を識別する顧客識別手段と、前記顧客の識別情報と該顧客特有の食材情報とを対応付けて記憶する顧客情報記憶手段と、を備え、前記携帯端末は、該顧客情報記憶手段から読み出された、前記顧客識別手段が識別した顧客の識別情報に対応する特有の食材情報を記憶する記憶手段と、前記食材情報読出手段により読み出された食材情報が、前記記憶手段に記憶された特有の食材情報に該当するか否かを判断する判断手段とを備え、前記報知手段は、該判断手段の判断結果を報知し、前記携帯端末は、前記判断手段が該当すると判断した食材情報と前記買上商品の識別情報とを前記ＰＯＳレジスタに移行する移行手段を備え、前記ＰＯＳレジスタは、該移行された前記判断手段が該当すると判断した食材情報を報知するレジ報知手段を備える。
上記構成によると、ＰＯＳレジスタは、前記判断手段が該当すると判断した食材情報を報知するので、顧客が携帯端末で報知された特有の食材情報を見過ごした場合でも、顧客は摂取してはならない材料等を知り得る機会が増え、精算前に確実に知り得る。
【００１１】
（３）また、本発明の一態様は、顧客の操作により商品の識別情報を読み取って該商品の品名や価格等を報知し、該読み取られた商品の識別情報を買上商品として記憶する携帯端末において、商品の識別情報と該商品の材料やカロリー等の食材情報とを対応付けて予め記憶する商品情報記憶手段と、前記商品の識別情報が読み取られると、該読み取られた商品の識別情報に対応する食材情報を読み出す食材情報読出手段と、前記食材情報読出手段により読み出された商品の食材情報を報知する報知手段と、前記顧客の識別情報と該顧客特有の食材情報とを対応付けて記憶する顧客情報記憶手段から読み出された、前記顧客毎に付された識別情報により顧客を識別する顧客識別手段が識別した顧客の識別情報に対応する特有の食材情報を記憶する記憶手段と、前記食材情報読出手段により読み出された食材情報が、前記記憶手段に記憶された特有の食材情報に該当するか否かを判断する判断手段と備え、前記報知手段は、該判断手段の判断結果を報知し、前記判断手段が該当すると判断した場合、前記商品情報記憶手段に基づき前記読み出された特有の食材情報が対応付けられていない商品の識別情報を特定する代替商品特定手段を備え、前記報知手段は、前記代替商品特定手段が特定した商品の識別情報に対応する商品に関する情報を報知することを特徴とする。
【発明の効果】
【００１３】
本発明によれば、商品販売処理システムは、商品の識別情報を読み取り、該読み取った商品の識別情報に対応する食材情報を報知するので、携帯端末を操作する顧客は、商品の読み取り（登録）時、つまり、商品の精算前に、商品の食材情報を知ることができる。
また、前記報知手段が報知する食材情報が、顧客の識別情報に対応する特有の食材情報に該当するか否かを判断して報知するので、顧客は、商品の材料等について各顧客が摂取してはならない材料等に該当するか否かを知ることができる。
【発明を実施するための最良の形態】
【００１４】
（実施形態）
以下、図面を参照しながら本発明の実施形態について詳しく説明する。
図１は、本実施形態による商品販売処理システムのシステム構成を示した概略図である。図１において、商品販売処理システムには、ストアコントローラ１０と、複数台のＰＯＳレジスタ２０と、来店客（顧客）が商品のコード読み取りに使用するｎ台のハンディターミナル３０−１〜３０−ｎ（携帯端末）と、各ＰＯＳレジスタ２０に有線接続され、ハンディターミナルが買い上げ商品の精算時にセットされるレジ用クレードル２１（中継器）と、ハンディターミナルが未使用時に載置されている客用クレードル４０と、会員カードリーダ５０とが含まれている。また、各ＰＯＳレジスタ２０と客用クレードル４０は、ＬＡＮ（Ｌｏｃａｌ  Ａｒｅａ  Ｎｅｔｗｏｒｋ）６０によりストアコントローラ１０に接続されている。
【００１５】
ストアコントローラ１０は、商品情報ファイル、食材情報ファイル、会員情報ファイル、販売実績情報ファイルなどの各種ファイルやデータの管理を行うコンピュータである。ここで、商品情報ファイルは、各商品のＪＡＮコード、商品名、価格などの商品情報を格納したファイルであり、必要に応じてその内容を編集・変更することが可能になっているとともに、最新の商品ファイルが各ＰＯＳレジスタ２０と客用クレードル４０に適宜送信される。
また、食材情報ファイルは、商品情報ファイル中の食材情報コードごとに商品の材料やカロリー等の食材情報を格納したものである。また、会員情報ファイルは、この小売店に会員として登録した顧客のリストを会員番号などとともに格納し、また、会員番号毎に顧客特有の食材情報を格納する。また、販売実績情報ファイルは、各ＰＯＳレジスタ２０で登録・精算処理したデータを集計することにより生成したファイルである。
なお、商品情報ファイル（図６）、食材情報ファイル（図７）、会員情報ファイル（図４）についての詳細は後述する。
【００１６】
ＰＯＳレジスタ２０は、顧客が買い上げる商品の登録および精算を行うための装置であり、各種の操作キーや表示部などを備えている。このＰＯＳレジスタ２０は、店員の操作により商品のバーコードを読み取るバーコードスキャナが所定のケーブルで接続されていたものであるが、そのバーコードスキャナを取り外し、取り外した後の接続コネクタ２０ａに、レジ用クレードル２１が接続される。この接続には、取り外したバーコードスキャナで用いていたのと同じ通信規格、例えばＲＳ−２３２Ｃインタフェースを用いる。
これにより、ＰＯＳレジスタ２０とレジ用クレードル２１、およびレジ用クレードル２１に載置される後述のハンディターミナル３０の間は、ＲＳ−２３２Ｃのシリアル通信によりデータの通信が行われることになる。レジ用クレードル２１のレジ側の端子とハンディターミナル側の端子間は、直接、信号線で接続されている。
【００１７】
本商品販売処理システムを導入した小売店では、客用クレードル４０と会員カードリーダ５０が店内の入口付近に設置される。客用クレードル４０には未使用のハンディターミナル３０が複数セットされて顧客の使用に備えられており、顧客が、会員番号が記憶された会員カードを会員カードリーダ５０に通すことで、そのうちの一つが使用可能状態となる。
このとき、会員カードリーダ５０は、会員カードから読み取った顧客の識別情報である会員番号を取得し、ストアコントローラ１０に送信をする。そして、ストアコントローラ１０は、管理する商品情報ファイル、食材情報ファイル、販売実績情報ファイルなどの各種ファイル、及び、会員情報ファイルから選択した該会員番号に対応する顧客情報データなどをハンディターミナル３０に送信をする。
【００１８】
顧客は、前記会員番号と各種ファイルと顧客情報データとが送信されたハンディターミナル３０を客用クレードル４０から取り外して、買い物を開始する。そして、買いたい商品のコードをハンディターミナル３０のスキャナ部３０４に読み取らせていき（以下、商品登録という）、全ての商品の商品登録後にＰＯＳレジスタ２０へ行ってレジ用クレードル２１にハンディターミナル３０をセットする（図１ではハンディターミナル３０−１がセットされている）。
【００１９】
そうすると、上記読み取られた商品のコードなどの商品買上情報が、ハンディターミナル３０からレジ用クレードル２１を介してＰＯＳレジスタ２０へ送信される。ＰＯＳレジスタ２０は、こうして取得した商品買上情報に従って、図示しないメモリに保持している商品情報ファイル（上記したようにストアコントローラ１０から受信したもの）を参照することにより商品登録を実行する。これにより、ＰＯＳレジスタ２０において、買い上げ商品の合計金額が算出され、算出された合計金額等がＰＯＳレジスタ２０の表示部に表示され、店員が精算操作をすると精算処理が行われて販売実績情報ファイルが更新され、レシートが発行される。
【００２０】
以下、本実施形態による携帯端末であるハンディターミナル３０について詳細を説明する。図２は、ハンディターミナル３０の構成を示す概略ブロック図であり、図３は、ハンディターミナル３０の表側外観図である。
ハンディターミナル３０は、ＣＰＵ３０１、ＲＯＭ３０２、ＲＡＭ３０３、スキャナ部３０４、制御部３０５、表示ディスプレイ（表示部）３０６、ＬＥＤ発行部３０６ａ、操作部３０７、通信部３０８、ブザー３０９、電源制御部３１０、充電式電池３１１を含んで構成される。
【００２１】
ＣＰＵ３０１は、中央処理装置であり、ＲＯＭ３０２に記憶されているプログラムを読み出して実行することにより、ハンディターミナル３０の動作を制御する。
ＲＯＭ３０２は、上記プログラムを記憶している読み出し専用メモリである。
ＲＡＭ３０３は、ストアコントローラ１０より取得した商品情報ファイル、食材情報ファイル、ストアコントローラ１０から送信された当該顧客の顧客情報データや、スキャナ部３０４で読み取った商品のバーコードのデータを含む商品買上情報や、自己のＩＰアドレスなどを記憶する、随時読み出し書き込みメモリである。
【００２２】
ストアコントローラ１０は、会員カードリーダ５０が識別して客用クレードル４０を介して送信した顧客の会員番号を受信する。そして、ストアコントローラ１０は、会員情報ファイルから該会員番号に対応する会員情報を選択し、顧客情報データ（顧客特有の食材情報を含むデータ）としてハンディターミナル３０に送信する。ＲＡＭ３０３（記憶手段）は、ストアコントローラ１０から送信された顧客情報データ、ＲＡＭ３０３の一時記憶エリアに記憶する。
【００２３】
図４は、本実施形態によるストアコントローラ１０が記憶する会員情報ファイルの一例を示した図である。
会員情報ファイルは、会員番号、名前、住所、電話番号と、該会員特有の栄養成分情報である顧客が予め設定した報知して欲しい商品の材料を意味する注意材料コード、及び、顧客が予め設定した報知して欲しい一商品のカロリーの上限を意味する注意カロリー等との各項目から構成されるデータである。
【００２４】
例えば、会員番号「０００１」の会員は、名前が「日本太郎」であり、住所が「東京都大田区山の手１−２−３」であり、電話番号が「０３−１２３４−５６７８」であり、注意材料コードが「１」、「２」（図５参照）であり、注意カロリーが「７００」ｋｃａｌであることを示している。
本実施形態では、ハンディターミナル３０を利用する顧客は、会員番号が「０００１」とする。つまり、ＲＡＭ３０３は、会員番号「０００１」の会員情報を顧客情報データとしてストアコントローラ１０から受信し、一時記憶エリアに記憶する。
【００２５】
図５は、本実施形態に係る材料ファイルの一例を示した図である。材料ファイルは、材料コードと材料名と関係付けて格納する。材料ファイルは、ストアコントローラ１０に管理され、商品情報ファイル等の各種ファイルとともにハンディターミナル３０に送信され、ＲＡＭ３０３に記憶される。
例えば、材料コード「１」は材料名「卵」、材料コード「２」は材料名「そば」等、各材料コードと材料名とが予め対応付けられている。なお、図４に示す会員情報ファイルに設定される注意材料コードは、該材料ファイル中の材料コードを示し、結果的に材料が特定される。
【００２６】
商品情報記憶手段３０３１は、商品情報ファイルと食材情報ファイルを記憶する。
図６は、本実施形態による商品情報ファイルの一例を示した図である。
商品情報記憶手段３０３１は、ストアコントローラ１０からハンディターミナル３０に送信された商品情報ファイルを記憶する。商品情報ファイルは、ＪＡＮコード、商品名、商品分類コード、価格、及び、後述する食材情報ファイルに関係付けられる食材情報コードの各項目から構成されるデータである。
なお、商品分類コードと商品分類名を関係付けるファイル（不図示）は、前記材料ファイルと同様に、ＲＡＭ３０３に記憶される。例えば、商品分類コード「０１」は商品分類名「菓子」、商品分類コード「０２」は商品分類名「惣菜」である。
【００２７】
例えば、ＪＡＮコード「１２３４５６」の商品は、商品名が「菓子Ａ」であり、商品の分類が「０１」（商品分類名「菓子」）、価格が「３５０」円、食材情報コードが「００１」である。
【００２８】
図７は、本実施形態による食材情報ファイルの一例を示した図である。
商品情報記憶手段３０３１は、ストアコントローラ１０からハンディターミナル３０に送信された食材情報ファイルを記憶する。食材情報ファイルは、食材情報コード、含まれる材料コード、カロリー等から構成されるデータである。
ここで、含まれる材料コードは、材料ファイル中の材料コードを示し、例えば、食材情報コード「００１」の商品は、材料が「卵」（「１」）、「小麦粉」（「３」）、「砂糖」（「４」）、「バター」（「５」）、及び「植物油脂」（「６」）が記憶されていることを意味し、カロリーは「９７０」ｋｃａｌ等であり、複数の食材情報コードが記憶されている。
なお、食材情報ファイルに、その他の食材情報として、材料の原産地、添加物、遺伝子組み換え品か否か、アレルギー物質か否か等を記憶してもよい。
【００２９】
スキャナ部３０４（コード読取部）は、商品に付されているバーコードを読み取るためのものであり、読み取ったバーコードの情報を所定の形式のデータに変換して出力する。このスキャナ部３０４は、ハンディターミナル３０の裏側の面に設けられており、バーコードをスキャナ部３０４に近付けることにより、読み取り動作が行われる。顧客の操作によってバーコード読み取りが行われスキャナ部３０４が読み取った商品コードは、買い上げた商品（以下、買上商品という）を特定するデータとして、ＲＡＭ３０３と制御部３０５に出力される。ＲＡＭ３０３は、スキャナ部３０４から入力されたコードを、商品買上情報として記憶する。
【００３０】
制御部３０５は、食材情報読出手段３０５１、判断手段３０５２、選択手段３０５３、及び代替商品特定手段３０５４を含んで構成される。
【００３１】
まず、食材情報読出手段３０５１について詳細を説明する。食材情報読出手段３０５１は、前記スキャナ部３０４が商品の識別情報であるコードを読み取ると、該読み取られたコードに対応する商品の食材情報を読み出す。
具体的には、食材情報読出手段３０５１は、前記スキャナ部３０４から商品の識別情報であるＪＡＮコードが入力されると、商品情報ファイルで、該入力されたＪＡＮコードに対応する食材情報コードを特定し、食材情報ファイルで、該特定した食材情報コードに対応する材料、カロリー等の食材情報を読み出す。
食材情報読出手段３０５１は、前記特定した食材情報を報知手段３０６１に出力し、報知手段３０６１は、報知手段３０６１から入力された情報を表示ディスプレイ３０６（表示部）に表示する。なお、表示ディスプレイ３０６は、食材情報読出手段３０５１から入力された食材情報、商品名や価格等の商品ファイルの情報、及び、その他全買上商品のリストや合計金額、買上商品の数、その他各種のメッセージ（例えば、ハンディターミナル３０の使い方が分からない顧客のための使用方法案内表示）とあわせて表示をする。
【００３２】
図８は、本実施形態による報知手段３０６１が表示した画面の一例を示す図である。図８の場合、まず、スキャナ部３０４は商品名が菓子Ａの包装に表示されたバーコードを読み取って、ＪＡＮコード「１２３４５６」を特定している。食材情報読出手段３０５１は、スキャナ部３０４が特定したＪＡＮコード「１２３４５６」について、図６の商品情報ファイルから、商品名「菓子Ａ」、価格「３５０」円、食材情報コード「００１」を特定する。また、食材情報読出手段３０５１は、特定した食材情報コード「００１」について、図７の食材情報ファイルから、材料コード「１」（「卵」）、「３」（「小麦粉」）、「４」（「砂糖」）、「５」（「バター」）、及び「６」（「植物油脂」）と、カロリー「９７０」ｋｃａｌを読み出す。食材情報読出手段３０５１は、該読み出した情報を報知手段３０６１に出力する。
そして、報知手段３０６１は、表示ディスプレイ３０６に、図８のように、商品名を「菓子Ａ」、商品の価格を「３５０」円、材料を「小麦粉、砂糖、植物油脂、卵、バター」、栄養成分であるエネルギーを「９７０」Ｋｃａｌとして表示する。なお、表示ディスプレイ３０６は、上部に、バーコードを読み取とった買上商品の総数である「２点」、買上商品の合計金額である「８５０」円を表示している。
このように、商品登録されているときに当該商品の材料等が表示されるので、顧客は、その情報を見て、当該商品を購入しないようにすることができる。
【００３３】
なお、以上の食材情報読出手段３０５１と報知手段３０６１による報知は、顧客を区別することなく同じ内容を報知する。よって、この場合、前記報知をするハンディターミナル３０は、顧客情報データを記憶しなくてもよい。
【００３４】
次に、顧客を区別し、各顧客に応じた内容を報知する場合について説明する。
まず、判断手段３０５２について詳細を説明する。
判断手段３０５２は、食材情報読出手段３０５１により読み出された食材情報が、ＲＡＭ３０３に記憶された顧客情報データの食材情報（特有の食材情報）に該当するか否かを判断する。
具体的には、判断手段３０５２は、食材情報読出手段３０５１が読み出した商品のＪＡＮコードに対応する図７の食材情報ファイルの注意材料と同一の材料が、ハンディターミナル３０を操作している顧客（例えば、図４の会員情報ファイルの会員番号が「０００１」）の注意材料に該当するか否かを判断する。
また、判断手段３０５２は、食材情報読出手段３０５１が読み出した商品のＪＡＮコードに対応する図７の食材情報ファイルのカロリーが、図４の顧客情報データの注意カロリーより大きいカロリーに該当するか否かをＪＡＮコードごとに判断する。
【００３５】
報知手段３０６１は、判断手段３０５２の比較が「該当する」と判断した注意材料と同一の材料、又は、「該当する」と判断した注意カロリーより大きいカロリーを、「該当しない」と判断した材料等と異なる態様で識別しやすいように報知する。
具体的には、報知手段３０６１は、判断手段３０５２が「該当する」と判断した注意材料と同一の材料、又は、「該当する」と判断した注意カロリーより大きいカロリーについて、文字を太字にする、文字の色を変える、文字の背景色を変えコントラストをつけるなどの態様で、つまり、該当しないと判断した食材情報とは異なる態様で、識別しやすいように表示ディスプレイ３０６に表示（報知）する。
【００３６】
図９は、本実施形態による判断手段３０５２の判断結果を示す図であり、報知手段３０６１が表示した画面の一例を示す図である。図９の場合、まず、スキャナ部３０４は商品名が菓子Ａの包装に表示されたバーコードを読み取って、ＪＡＮコード「１２３４５６」を読み出している。食材情報読出手段３０５１は、図８の場合と同様に、スキャナ部３０４が特定したＪＡＮコード「１２３４５６」について、図６の商品情報ファイルから、商品名「菓子Ａ」、価格「３５０」円、食材情報コード「００１」を特定し、また、図７の食材情報ファイルから、材料コード「１」、「３」、「４」、「５」、「６」と、カロリー「９７０」ｋｃａｌを読み出す。
【００３７】
判断手段３０５２は、図４の顧客情報データから、注意材料コード「１」、「２」、注意カロリー「７００」ｋｃａｌを特定する。
判断手段３０５２は、食材情報読出手段３０５１が読み出したＪＡＮコード「１２３４５６」の材料コード「１」、「３」、「４」、「５」、「６」が、特定した注意材料コード「１」又は「２」と同一の材料コードに該当するか否かを判断し、材料コード「１」である「卵」が同一の材料に「該当する」と判断する。
また、判断手段３０５２は、食材情報読出手段３０５１が読み出したＪＡＮコード「１２３４５６」のカロリー「９７０」ｋｃａｌが、特定した注意カロリー「７００」ｋｃａｌより大きいカロリーに該当するか否かを判断し、カロリー「９７０」ｋｃａｌが大きいカロリーに「該当する」と判断する。
【００３８】
報知手段３０６１は、判断手段３０５２が「該当する」と判断した材料「卵」とカロリー「９７０」ｋｃａｌを、図９のように、表示ディスプレイ３０６に識別しやすいように表示する。
ただし、識別しやすいように表示するとは、これに限られず、例えば、図１０（ｂ）のように、判断手段３０５２が「該当する」と判断した材料のみを表示してもよい。
また、報知手段３０６１の識別しやすい表示により、該当する旨が報知されているが、図１０（ａ）、（ｂ）のように、「※注意材料あり！」と表示してもよい。
【００３９】
なお、報知手段３０６１は、判断手段３０５２が「該当する」と判断した材料、又はカロリーがある場合、「該当する」と判断された買上商品について、商品買上情報から消去するための取消ボタンを表示する。顧客が該取消ボタンを選択すると、ハンディターミナル３０は、ＲＡＭ３０３に記憶する商品買上情報から、表示ディスプレイ３０６に表示された「該当する」買上商品のデータを消去する。これにより、顧客は、「該当する」と判断された買上商品について、商品登録をキャンセルすることができる。
【００４０】
次に、選択手段３０５３について詳細を説明する。
選択手段３０５３は、判断手段３０５２が「該当する」と判断した食材情報のみを報知するか否かを選択する。
具体的には、選択手段３０５３は、判断手段３０５２が「該当する」と判断した注意材料と同一の材料、又は、「該当する」と判断した注意カロリーより大きいカロリーのみ表示ディスプレイ３０６に表示するか否かを選択する画面を表示部３０６に表示させる。
【００４１】
図１０（ａ）、（ｂ）は、本実施形態による選択手段３０５３が表示部３０６に表示させた画面の一例を示す図である。
例えば、図９の場合と同様に、判断手段３０５２は、材料「卵」を「該当する」と判断した場合、選択手段３０５３は、判断手段３０５２が「該当する」と判断した材料「卵」のみを表示するか否かを選択するボタンを表示部３０６に表示させる。図１０（ａ）では、判断手段３０５２は、判断手段３０５２が「該当する」と判断した材料「卵」のみを表示する「注意材料を表示」ボタンと、判断手段３０５２が「該当する」と判断した以外の材料も表示する「商品の材料を全て表示」ボタンを表示部３０６に表示させる。操作者である顧客が上下矢印キー３０６６等を操作し、「注意材料を表示」ボタンを選択した場合、表示ディスプレイ３０６には、図１０（ｂ）を表示する。図１０（ｂ）には、選択手段３０５３は、判断手段３０５２が「該当する」と判断した材料「卵」のみを表示している。
なお、顧客が図１０（ａ）、図１０（ｂ）中の「商品の材料を全て表示」ボタンを選択した場合は、図９の画面が表示される。
【００４２】
次に、代替商品特定手段３０５４について詳細を説明する。
代替商品特定手段３０５４は、判断手段３０５２が「該当する」と判断した場合、前記特有の食材情報が対応付けられていない商品の識別情報を特定する。
具体的には、代替商品特定手段３０５４は、判断手段３０５２が「該当する」と判断した場合、顧客情報データの注意材料コードを取得する。代替商品特定手段３０５４は、注意材料コードに対応する材料名を特定し、食材情報ファイルから注意材料を含まない食材情報コードを検索する。そして、代替商品特定手段３０５４は、該食材情報コードが設定されていない商品を商品情報ファイルから選択し、かつ、前記「該当する」と判断された商品と同じ商品分類の商品と特定し、表示ディスプレイ３０６に表示する。
【００４３】
図１１は、本実施形態による代替商品特定手段３０５４が表示をした画面の一例を示す図である。
例えば、図９、図１０の場合と同様に、判断手段３０５２は、ＪＡＮコード「１２３４５６」の材料「卵」を「該当する」と判断した場合、代替商品特定手段３０５４は、食材情報ファイルから「卵」を含まない食材情報コードを検索する。そして、代替商品特定手段３０５４は、該食材情報コードが設定されている商品を商品情報ファイルから選択し、かつ、ＪＡＮコード「１２３４５６」と同じ商品分類の商品を特定する。
代替商品特定手段３０５４は、この場合、特定したＪＡＮコード「３４５６７８」に対応する商品に関する情報である商品名「菓子Ｃ」、価格等「３７０」円の情報を特定して、図１１のように、表示ディスプレイ３０６に表示する。
【００４４】
なお、ＲＡＭ３０３が、商品に関する情報として、商品情報ファイルに商品の販売する棚等の販売場所情報を記憶し、代替商品特定手段３０５４は、該販売場所情報を表示してもよい。例えば、代替商品特定手段３０５４は、図１１のように、「菓子Ｃは、菓子コーナーＡ棚３段目にあります。」と表示してもよい。これにより、顧客は、同じ菓子であっても卵を含まない商品がどこにあるかが分かるので、安全な商品の購入の手助けとなる。
なお、本実施形態において、代替商品特定手段３０５４は、同じ分類の商品の中から代替商品を選択するようにしたが、本発明はこれに限らず、予め定めた複数の分類の中から代替商品を選択するようにしてもよい。
また、図１１の画面は、図１０（ｂ）において、「注意材料を含まない商品を表示」ボタンが選択されたときに表示される。
【００４５】
表示ディスプレイ３０６の上側中央部には、ＬＥＤ発光部３０６ａが設けられる。このＬＥＤ発光部３０６ａは、その点灯によって、客用クレードル４０に複数載置されたハンディターミナル３０のうちどれを使用するかを顧客に報知するためのものであり、上記した会員カードリーダ５０からの会員番号が受信されると、ＬＥＤ発光部３０６ａが点灯するように制御が行われるようになっている。
【００４６】
操作部３０７は、ハンディターミナル３０を操作する各種のキーからなり、図３に示されるように、バーコードの読み取りを開始するためのスキャンキー３０７１、バーコードを読み取った商品を１つずつ取り消したり数量を修正したりするための訂正キー３０７２、読み取った全商品を取り消すための取消キー３０７３、買い上げる商品の数量を指定するための＋（プラス）キー３０７４、−（マイナス）キー３０７５、読み取った全商品のリスト表示において商品を選択するカーソルを上下させるための上下矢印キー３０７６、入力操作を決定するための決定キー３０７７を有している。
【００４７】
通信部３０８は、レジ用クレードル２１および客用クレードル４０との間で行うデータ通信の制御を行う。具体的には、ハンディターミナル３０がレジ用クレードル２１に接続された場合には、ＲＡＭ３０３に記憶された買上商品情報（スキャナ部３０４により商品のバーコードから読み取ったデータ）を、レジ用クレードル２１を介してＰＯＳレジスタ２０に送信する。つまり、判断手段３０５２が該当すると判断した食材情報と買上商品の識別情報とをＰＯＳレジスタ２０に移行する。
また、通信部３０８は、ハンディターミナル３０が客用クレードル４０に接続された場合には、ストアコントローラ１０から最新の商品ファイル、食材情報ファイル、顧客情報データを受信する。なお、これらのデータ通信は、上記したようにＲＳ−２３２Ｃの通信プロトコルに従って行われる
【００４８】
ブザー３０９は、客用クレードル４０に複数載置されているハンディターミナル３０のうち、ＬＥＤ発光部３０６ａが消灯しているハンディターミナル３０が客用クレードル４０から取り外された場合にブザー音を発生させるものである。
【００４９】
電源制御部３０９は、ハンディターミナル３０が客用クレードル４０に接続されている間に、客用クレードル４０から供給される電力による充電式電池３１０への充電を制御する。充電式電池３１０は、ハンディターミナル３０の各部を動作させるための電力を供給する。
【００５０】
次に、本実施形態に係るＰＯＳレジスタ２０について説明をする。
図１２は本実施形態のＰＯＳレジスタ２０の構成を示すブロック図である。ＣＰＵ２０１（制御部）は、中央処理装置であり、ＲＯＭ２０３に記憶されているプログラムを読み出して実行することにより、ＰＯＳレジスタ２０の動作を制御する。ＲＯＭ２０３は、上記プログラムを記憶している読み出し専用メモリである。ＲＡＭ２０４（記憶部）は、ストアコントローラ１０より取得した商品情報ファイルと、ハンディターミナル３０より取得した商品買上情報などを記憶する、随時読み出し書き込みメモリである。
また、本実施形態では、ＲＡＭ２０４は、さらに、ハンディターミナル３０より移行された判断手段３０５２の比較結果を取得し、記憶する。
【００５１】
表示部である液晶タッチパネル部２０６（店員用表示部）は、商品買上情報など、店員に知らせる情報を表示する。また、タッチパネル式であるため、表示だけではなく入力も受け付ける。操作部２１１は、ＰＯＳレジスタ２０を操作する各種のキーからなる。
通信部２１０は、ＬＡＮ６０を経由しストアコントローラおよびレジ用クレードル２１を介しハンディターミナル３０と通信する。ブザー２１３は、操作の確認が必要な時などにブザー音を発生させるものである。ハードディスク２０２は会計処理が終了後、ＲＡＭ２０４が記憶する情報を記憶する。レシート印字部２０８はレシートを印字する。ドロワ部２０９は現金や金券などを保管する。カードリーダ部２１２は顧客がクレジットカードでの支払いを希望する場合、会計処理のためクレジットカードの情報を読み取る。
【００５２】
レジ報知手段２０６１は、ハンディターミナル３０から移行された判断手段３０５２が「該当する」と判断した食材情報を報知する。具体的には、ＲＡＭ２０４が記憶する判断手段３０５２の比較結果を参照し、判断手段３０５２が「該当する」と判断した食材情報を液晶タッチパネル部２０６に表示する。
【００５３】
図１３は、本実施形態によるレジ報知手段２０６１が表示をした画面の一例を示す図である。
図１３は、ハンディターミナル３０が、商品名が「菓子Ａ」である商品のバーコードを読み取り、該商品買上情報と判断手段３０５２の比較結果とを、レジ用クレードル２１を介してＰＯＳレジスタ２０へ送信した場合に表示される画面である。
図１３で、レジ報知手段２０６１は、判断手段３０５２が「該当する」と判断した「卵」について、「該当する」材料があることを意味する「※注意商品あり」と、注意材料と同一の材料である「卵」と表示をしている。
これにより、店員は、「購入する菓子Ａに卵が含まれていますが購入しますか？」と顧客に確認をすることができる。つまり、顧客は、商品登録のときに菓子Ａに卵が含まれていることを見過ごした場合でも、ＰＯＳレジスタでの精算前に、店員の確認により卵が含まれていることを知ることができるので、顧客は精算前に、例えば、当該商品の購入を止めることができる。
【００５４】
表示部である客用表示部２０７は、商品買上情報に基づき商品の金額、合計金額、つり銭の金額など、顧客に知らせる情報を表示する。
【００５５】
次に動作について説明をする。
図１４は、顧客が商品登録をした際に該商品の食材情報を表示する場合の動作を示すフロー図である。つまり、ハンディターミナル３０が少なくとも商品情報記憶手段３０３１と食材情報読出手段３０５１と報知手段３０６１とを含んで備える場合の動作を示すフロー図である。
顧客が携帯したハンディターミナル３０のスキャナ部３０４は、顧客の操作により、顧客が買いたい商品のコードを読み取り（スキャン）、該読み取った商品のＪＡＮコード等を買上商品情報として、ＲＡＭ３０３に記憶させる（Ｓ１０１）。食材情報読出手段３０５１は、スキャナ部３０４が読み取ったＪＡＮコードに対応する食材情報を表示ディスプレイ３０６に表示する（図８）（Ｓ１０２）。
スキャナ部３０４は、他の商品のスキャンがあるか否かを判断する（Ｓ１０３）。ＹＥＳの場合、再度、Ｓ１０１の処理に進む。一方、ＮＯの場合、他の商品のスキャンがなく、レジ用クレードル２１に載置されたハンディターミナル３０は、ＲＡＭ３０３に記憶した商品買上情報をＰＯＳレジスタ２０に送信する（Ｓ１０４）。ＰＯＳレジスタ２０は、ハンディターミナル３０から送信された商品買上情報に基づき買上商品の合計金額を計算し、レシートを印字する等の精算処理をする（Ｓ１０５）。
【００５６】
図１５は、本実施形態による顧客を区別し、各顧客に応じた内容を報知する場合の動作を示すフロー図である。
会員カードリーダ５０は、会員カードから会員番号を取得し、該取得した会員番号を、客用クレードル４０を介してストアコントローラ１０に送信する（Ｓ２０１）。ストアコントローラ１０は、会員情報ファイルから該受信した会員番号に対応する顧客情報データを選択し、ハンディターミナル３０に送信する。ハンディターミナル３０のＲＡＭ３０３は、ストアコントローラ１０から送信された顧客情報データを記憶する（Ｓ２０２）。顧客情報データを取得したハンディターミナル３０は、ＬＥＤ発光部３０６ａを点灯し、顧客は、該ＬＥＤ発光部３０６ａが点灯したハンディターミナル３０を携帯する。なお、例えば、ストアコントローラ１０は、充電時間が長いハンディターミナル３０を選択する。
顧客が携帯したハンディターミナル３０のスキャナ部３０４は、顧客の操作により、顧客が買いたい商品のコードをスキャンし、該スキャンした商品のＪＡＮコード等を買上商品情報として、ＲＡＭ３０３に記憶させる（Ｓ２０３）。
【００５７】
食材情報読出手段３０５１は、スキャナ部３０４がスキャンしたＪＡＮコードに対応する食材情報を読み出す。判断手段３０５２は、食材情報読出手段３０５１が読み出した食材情報が、Ｓ２０２で記憶した顧客情報データ中の特有の食材情報に該当するか否かを判断する（Ｓ２０４）。
ＹＥＳと判断した場合、ＲＡＭ３０３は、Ｓ２０３でスキャンされた商品のＪＡＮコードと判断手段３０５２が「該当する」と判断した食材情報とを対応付けて記憶する。また、報知手段３０６１は、判断手段３０５２が「該当する」と判断した食材情報を「該当しない」と判断した食材情報と異なる態様で識別しやすいように表示する（図９）（Ｓ２０５）。
一方、ＮＯと判断した場合、Ｓ２０８の処理に進む。
【００５８】
次に、表示された買上商品の消去ボタンが選択されたか否かを判断する（Ｓ２０６）。該消去ボタンが選択される（ＮＯの場合）と、ハンディターミナル３０は、Ｓ２０３でＲＡＭ３０３に記憶した商品買上情報から、表示した買上商品の情報を消去して（Ｓ２０７）、Ｓ２０８の処理に進む。このとき、Ｓ２０５でＲＡＭ３０３に記憶された商品のＪＡＮコードと食材情報とも消去する。
一方、前記消去ボタンが選択されない場合（ＹＥＳの場合）、Ｓ２０８の処理に進む。
スキャナ部３０４は、他の商品のスキャンがあるか否かを判断する（Ｓ２０８）。ＹＥＳの場合は、再度、Ｓ１０１の処理に進む。一方、ＮＯの場合、他の商品のスキャンがなく、レジ用クレードル２１に載置されたハンディターミナル３０は、Ｓ２０３でＲＡＭ３０３に記憶した商品買上情報と、Ｓ２０５でＲＡＭ３０３が記憶した商品のＪＡＮコードと食材情報とをＰＯＳレジスタ２０に送信する（Ｓ２０９）。
【００５９】
ＰＯＳレジスタ２０のＣＰＵ２０１は、ＪＡＮコードと対応付けられた食材情報が通信部２１０を介して受信されたか否かを判断する（Ｓ２１０）。ＹＥＳの場合は、Ｓ２１１へ進み、ＮＯの場合は、Ｓ２１２へ進む。ＣＰＵ２０１は、該食材情報が送信された場合、該送信された食材情報と、該食材情報に対応するＪＡＮコードの商品名とを液晶タッチパネル部２０６に表示させる（図１３）（Ｓ２１１）。これにより、店員は菓子Ａに卵が含まれていることを顧客に対して注意を促すことができる。
そして、ハンディターミナル３０から送信された商品買上情報に基づき買上商品の合計金額を計算し、預かり金額を置数して締め操作にてレシート発行やお釣りがある場合には、釣り銭を排出する等の精算処理を行う（Ｓ２１２）。
なお、Ｓ２１１で当該顧客特有の食材情報に該当する商品が登録されている旨を顧客に伝えて、顧客が当該商品の購入を中止した場合には、ＰＯＳレジスタに備わっている取消機能にて当該商品の商品登録を取り消すことができる。
【００６０】
このように、本実施形態によれば、スキャナ部３０４が商品の識別情報を読み取り、食材情報読出手段３０５１は、該入力された商品の識別情報に対応する食材情報を報知する。これにより、携帯端末を操作する顧客は、商品の精算前に、商品の食材情報を知ることができる。
また、本実施形態によれば、判断手段３０５２は、食材情報読出手段３０５１が報知する食材情報が、ＲＡＭ３０３が記憶する顧客情報データの特有の食材情報に該当するか否か判断し、報知手段３０６１は、判断手段３０５２が「該当する」と判断した材料等を識別しやすいように表示している。これにより、各顧客に応じた食材情報が表示されるので、顧客は、摂取してはならない材料等を確実に知ることができる。
【００６１】
上記実施形態において、食材情報ファイルの食材情報コード毎に含まれる材料毎に該材料の産地データを記憶させ、また、顧客情報データに特定した産地データを設定しておき、商品登録の際、読み出された商品の材料の産地に、当該顧客が特定した産地が含まれている場合には、ハンディターミナル３０の表示部に当該材料がある旨を表示するようにしてもよい。
【００６２】
また、上記実施形態において、商品ごとに商品の材料情報を報知したが、本発明はこれに限らず、例えば、買い上げ商品に含まれる材料を材料ごとに集計し、該集計した数を降順に表示してもよい。また、該集計した数が予め定めた所定の閾値以上の場合、食材情報読出手段３０５１は、注意を促す旨の報知をしてもよい。
また、例えば、買い上げ商品に含まれる添加物を添加物ごとに集計し、該集計した数が予め定めた所定の閾値以上の場合、スキャナ部３０４は、新たな商品のコードの読み取りを停止してもよい。
【００６３】
また、上記実施形態において、材料やカロリー等の食材情報は、食材情報コードごと食材情報ファイルに設定されているが、本実施形態はこれに限らず、例えば、商品情報ファイルのＪＡＮコード毎のように商品情報記憶手段が記憶する商品毎に設定してもよいし、商品毎の食材情報を識別コード毎に記憶したファイルを設け、該識別コードを商品毎に記憶してもよい。また、上記実施形態において、ストアコントローラ１０は、顧客情報データのみをハンディターミナル３０に送信しているが、会員情報ファイルを送信し、ハンディターミナル３０は、記憶する顧客の会員番号に基づき顧客情報データを特定してもよい。
また、上記実施形態において、顧客を識別する手段として、会員番号が記憶された会員カードを利用しているが、本発明はこれに限らず、会員番号が記憶されたＩＣ（Ｉｎｔｅｇｒａｔｅｄ  Ｃｕｒｃｕｉｔ）カードや、会員番号が記憶されたＩＣを含んで備える携帯電話等でもよい。
【００６４】
また、上記実施形態において、報知方法は表示ディスプレイ３０６に表示する例を説明したが、本発明はこれに限らず、ハンディターミナル３０に、食材情報（「卵」等）を音読した音声データを記憶する音声ファイルと、該音声ファイルを再生する音声発生手段とを設け、音声により食材情報を報知するようにしてもよい。そして、判断手段３０５２が「該当する」と判断した食材情報を「該当しない」食材情報と音声の態様を変えて報知してもよい。例えば、判断手段３０５２が「該当する」と判断した食材情報（「卵」）に対する音声を、他の情報（小麦粉）の音声に比べて、大きな音で再生したり、あるいは、復唱（「卵、卵」）したりして、「該当しない」食材情報と区別して再生するようにしてもよい。
【００６５】
なお、上述した実施形態におけるハンディターミナル３０、及び、ＰＯＳレジスタ２０の一部、例えば、制御部３０５の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【００６７】
【図１】本実施形態による商品販売処理システムのシステム構成を示した概略図である。
【図２】本実施形態による携帯端末の構成を示す概略ブロック図である。
【図３】本実施形態による携帯端末の外観を示す概略外観図である。
【図４】本実施形態による顧客情報データの一例を示した図である。
【図５】本実施形態による材料ファイルの一例を示した図である。
【図６】本実施形態による商品情報ファイルの一例を示した図である。
【図７】本実施形態による食材情報ファイルの一例を示した図である。
【図８】本実施形態による携帯端末の表示部に報知手段が表示した画面の一例を示す図である。
【図９】本実施形態による携帯端末の表示部に報知手段が表示した別の画面の一例を示す図である。
【図１０】本実施形態による携帯端末の表示部に選択手段が表示した画面の一例を示す図である。
【図１１】本実施形態による携帯端末の表示部に代替商品特定手段が表示させた画面の一例を示す図である。
【図１２】本実施形態によるＰＯＳレジスタの構成を示す概略ブロック図である。
【図１３】本実施形態によるＰＯＳレジスタに表示した画面の一例を示す図である。
【図１４】本実施形態による動作を示すフロー図である。
【図１５】本実施形態による動作を示す別のフロー図である。
【符号の説明】
【００６８】
１０・・・ストアコントローラ、２０・・・ＰＯＳレジスタ、２１・・・レジ用クレードル、３０・・・ハンディターミナル、４０・・・客用クレードル、５０・・・会員カードリーダ、３０１・・・ＣＰＵ、３０２・・・ＲＯＭ、３０３・・・ＲＡＭ、３０４・・・スキャナ部、３０５・・・制御部、３０６・・・表示ディスプレイ（表示部）、３０６ａ・・・ＬＥＤ発行部、３０７・・・操作部、３０８・・・通信部、３０９・・・ブザー、３１０・・・電源制御部、３１１・・・充電式電池、２０１・・・ＣＰＵ、２０２・・・ハードディスク、２０３・・・ＲＯＭ、２０４・・・ＲＡＭ、２０６・・・液晶タッチパネル部（店員用表示部）、２０７・・・客用表示部、２０８・・・レシート印字部、２０９・・・ドロワ部、２１０・・・通信部、２１１・・・操作部、２１２・・・カードリーダ部、２１３・・・ブザー
３０３１・・・商品情報記憶手段、３０５１・・・食材情報読出手段、３０５２・・・判断手段、３０５３・・・選択手段、３０５４・・・代替商品特定手段、３０６１・・・報知手段、２０６１・・・レジ報知手段
【図１】
0005245460.tif 000002
【図２】
0005245460.tif 000003
【図３】
0005245460.tif 000004
【図４】
0005245460.tif 000005
【図５】
0005245460.tif 000006
【図６】
0005245460.tif 000007
【図７】
0005245460.tif 000008
【図８】
0005245460.tif 000009
【図９】
0005245460.tif 000010
【図１０】
0005245460.tif 000011
【図１１】
0005245460.tif 000012
【図１２】
0005245460.tif 000013
【図１３】
0005245460.tif 000014
【図１４】
0005245460.tif 000015
【図１５】
0005245460.tif 000016